(57)【要約】  目的を満たした旅行計画の識別を容易にするようなやり方で、旅行情報を提示するための方法およびシステムが提供される。旅行情報システムは、現在の日付を含む様々な観測日付で、旅行項目についての旅行情報を収集し、旅行の計画および旅行の購入を容易にするようなやり方で、旅行情報をユーザに提示する。この旅行情報システムは、観測結果ストアの中に旅行情報を記憶する。検索基準を満たす旅行情報を提供するために、この旅行情報システムは、観測結果ストアのフライト情報か、または旅行情報のソースからリアルタイムで提供される現在のフライト情報のいずれかから、検索基準を満たす旅行情報を取り出す。このフライト情報システムは、旅行の計画を容易にするために、様々な形式で旅行情報を提供する。これらの形式は、料金履歴グラフ、インターバルグリッド、ルートマップ、将来料金グラフおよび／または出発日付／期間グリッドを含む。
2009527827.tif 000002
【特許請求の範囲】
【請求項１】
航空会社の料金情報を提示するためのコンピュータシステムにおける方法であって、
検索基準を有する検索要求をユーザから受信するステップと、
様々な観測日付について、前記検索基準に合った航空会社のフライトについてのフライト情報を取り出すステップと、
前記検索基準に合った航空会社のフライトについての現在のフライト情報を、検索結果として取り出すステップと、
前記観測日付にわたって前記検索基準に合った前記航空会社のフライトについての料金履歴を示す料金履歴グラフを、前記取り出されたフライト情報から生成するステップと、
提示するために、前記生成された料金履歴グラフとともに、前記検索結果を前記ユーザに送信するステップと
を備えることを特徴とする方法。
【請求項２】
前記料金履歴グラフは、観測日付軸および料金軸を含むことを特徴とする請求項１に記載の方法。
【請求項３】
観測日付について、航空会社のフライトについてのフライト情報を収集するステップを含むことを特徴とする請求項１に記載の方法。
【請求項４】
旅行に関連した航空会社のフライトについての前記フライト情報を集めることによって、旅行情報を生成するステップを含むことを特徴とする請求項３に記載の方法。
【請求項５】
前記料金履歴グラフは、前記検索基準にあった航空会社のフライトについて、観測日付に入手可能な最低料金を示すことを特徴とする請求項１に記載の方法。
【請求項６】
航空会社の料金情報を提示するためのコンピュータシステムにおける方法であって、
検索基準を有する検索要求をユーザから受信するステップと、
前記検索基準に合った航空会社のフライトについてのフライト情報を、検索結果として取り出すステップと、
出発日付の出発インターバルと戻りの日付の戻りインターバルとの様々な組み合わせで、前記検索基準に合った前記航空会社のフライトの料金を示すインターバルグリッドを、前記取り出されたフライト情報から生成するステップと、
提示するために、前記生成されたインターバルグリッドとともに、前記検索結果を前記ユーザに送信するステップと
を備えることを特徴とする方法。
【請求項７】
前記インターバルは、夜明け前、早朝、昼近く、午後、夕方および夜に対応することを特徴とする請求項６に記載の方法。
【請求項８】
前記検索基準は旅行を識別し、旅行は出発場所および日付と、戻り場所および日付との組み合わせであることを特徴とする請求項６に記載の方法。
【請求項９】
前記検索基準は最大料金を含むことを特徴とする請求項６に記載の方法。
【請求項１０】
前記インターバルグリッドのセルは、前記検索基準に合った対応する出発インターバルおよび戻りインターバル内にある航空会社のフライトについての最低料金を示す料金額を含むことを特徴とする請求項６に記載の方法。
【請求項１１】
航空会社の料金情報を提示するためのコンピュータシステムにおける方法であって、
出発場所および戻り場所を含む検索基準を有する検索要求を、ユーザから受信するステップと、
各々の戻り場所について、
前記戻り場所が前記検索基準を満たす航空会社のフライトについての料金を識別するステップと、
地理的エリアのマップに、前記出発場所から前記戻り場所までのルートの指標を付加するステップと、
前記マップに、その戻り場所が前記検索基準を満たす航空会社のフライトについての前記識別された料金の指標を付加するステップと、
提示するために、前記ルートの前記指標および前記識別された料金の前記指標を有する前記マップを前記ユーザに送信するステップと
を備えることを特徴とする方法。
【請求項１２】
前記識別された料金は、その戻り場所が前記検索基準を満たす航空会社のフライトについての最低料金であることを特徴とする請求項１１に記載の方法。
【請求項１３】
表示するために、前記マップとともに、前記検索基準を満たす航空会社のフライトのリストを前記ユーザに送信するステップを含むことを特徴とする請求項１１に記載の方法。
【請求項１４】
前記検索基準は、複数の旅行期間をカバーすることを特徴とする請求項１１に記載の方法。
【請求項１５】
前記検索基準は、複数の出発日付をカバーすることを特徴とする請求項１１に記載の方法。
【請求項１６】
航空会社の料金情報を提示するためのコンピュータシステムにおける方法であって、
出発場所および少なくとも１つの戻り場所を含む検索基準を有する検索要求を受信するステップと、
各々の戻り場所について、その戻り場所が複数の出発日付のための前記検索基準を満たす航空会社のフライトについての料金を識別するステップと、
前記出発日付での前記識別された料金を示す各戻り場所についてのプロット線を含む将来料金グラフを生成するステップと、
提示するために、前記生成されたグラフをユーザに送信するステップと
を備えることを特徴とする方法。
【請求項１７】
前記識別された料金は、その戻り場所が前記出発日付での前記検索基準を満たす航空会社のフライトについての最低料金であることを特徴とする請求項１６に記載の方法。
【請求項１８】
提示するために、前記グラフとともに、前記検索基準を満たす航空会社のフライトのリストをユーザに送信するステップを含むことを特徴とする請求項１６に記載の方法。
【請求項１９】
前記検索基準は、複数の旅行期間をカバーすることを特徴とする請求項１６に記載の方法。
【請求項２０】
前記検索基準は、複数の出発日付をカバーすることを特徴とする請求項１６に記載の方法。
【請求項２１】
航空会社の料金情報を提示するためのコンピュータシステムにおける方法であって、
出発場所および少なくとも１つの戻り場所を含む検索基準を有する検索要求を受信するステップと、
各々の戻り場所について、その戻り場所が複数の出発日付および期間のそれぞれのための前記検索基準を満たす航空会社のフライトについての料金を識別するステップと、
出発日付と期間との様々な組み合わせで、前記検索基準に合った前記航空会社のフライトの料金をグリッドのセルの中で示す出発日付／期間グリッドを、前記識別された料金から生成するステップと、
提示するために、前記生成されたグリッドをユーザに送信するステップと
を備えることを特徴とする方法。
【請求項２２】
前記識別された料金は、出発日付と期間との組み合わせのための前記検索基準を満たす航空会社のフライトについての最低料金であることを特徴とする請求項２１に記載の方法。
【請求項２３】
提示するために、前記グリッドとともに、前記検索基準を満たす航空会社のフライトのリストを前記ユーザに送信するステップを含むことを特徴とする請求項２１に記載の方法。
【請求項２４】
前記検索基準は、複数の旅行期間をカバーすることを特徴とする請求項２１に記載の方法。
【請求項２５】
前記料金を識別することは、以前に収集されたフライト情報について実行されることを特徴とする請求項２１に記載の方法。
【発明の詳細な説明】
【技術分野】
【０００１】
本発明は、旅行情報システムに関する。
【背景技術】
【０００２】
多くの人々は、可能な限りの安いコストという自分たちの目的に合った旅行を計画するためにかなりの時間を費やす。例えば、ある人は家族を訪問するために、シアトルからボストンへの旅行を希望するかもしれない。そのような人は、いつシアトルを出発するのかということと、ボストンにはどれだけ滞在するのかという両方の点で、かなりの融通性を有するかもしれない。そのような人は最も安い料金を可能にするために、次の３０日以内の任意の日の任意の時間に出発し、３日から５日の間滞在しようと思うかもしれない。別の人は、午前中に限られるが、次の週の任意の日に出発し、２日から６日の間滞在しようと思うかもしれない。そのような人は典型的に、任意の航空会社の飛行機で旅行しようと思う。しかしながら、そういう人たちにとっては、自分たちの目的を満たす可能な限り安い料金の飛行機会社のフライトを識別することは、非常に難しい場合がある。
【０００３】
人は自分の旅行の目的を満たす可能な限り安い料金の飛行機会社のフライトを識別するために、複数の異なる航空会社および複数の異なる航空会社のアグリゲータ（例えばＯｒｂｉｔｚなど）のウェブサイトを訪れなければならない場合がある。ウェブサイトを訪れると、人は出発の場所および日付、ならびに戻ってくる場所および日付を指定する検索基準を用いて、検索要求を出す。検索基準は特定の日付ではなく、出発の日付および戻りの日付の範囲を指定してもよい。検索基準はまた、出発時間の範囲（例えば午前９時から午後１２時など）および戻り時間の範囲についての好みを指定してもよい。その後ウェブサイトは、検索基準を満たす航空会社のフライトを識別する。しかしながら、検索基準がかなり幅広い場合、その基準を満たすすべてのフライトを検索することは時間がかかる可能性がある。ウェブサイトは、チケット料金または何らかのその他の基準に基づいて注文し得る人に、識別された航空会社のフライトのリストを提供する。さらにその人は、この出発場所と戻り場所との様々な組み合わせを求める検索を実行してもよい。例えば、シアトルからオーランド、ニューオーリンズ、フェニックスまたはロサンゼルスに旅行したいと思う場合、その人は４つの検索要求を出して、その結果を手動で関連させなければならないかもしれない。さらに、検索結果は典型的にリスト形式で表示されるので、人が長いリストから所望のフライトを識別することは困難である可能性がある。
【発明の開示】
【発明が解決しようとする課題】
【０００４】
そのようなプロセスは時間がかかり、かつうんざりするようなものである。このプロセスは時間がかかるものなので、検索の完了後、所望の航空会社のフライトがまだ同じ料金であるという保証はなく、そのフライトにまだ入手可能な席があるという保証さえ、またはそのフライトが見つけられるという保証さえない。
【課題を解決するための手段】
【０００５】
目的を満たす旅行計画の識別を促進するようなやり方で旅行情報を提示するための方法およびシステムが提供される。一実施形態で、この旅行情報システムは、現在の日付を含む様々な観測日付で旅行項目のための旅行情報を収集し、様々な旅行日付、航空会社などの中で料金を素早く見つける能力を人に与えることによって、旅行計画および旅行の購入を促進するようなやり方で、ユーザに旅行情報を提示してもよい。旅行項目は航空会社の旅行、ホテルの部屋、レンタカー、船旅、パック旅行またはその他の旅行関連の項目であってよい。この旅行情報システムは特定の観測の割合で（例えば週ごと、１日に１回および１日に２回などで）、または様々な観測の割合で（例えば需要の低い期間には週ごとで、需要の高い期間には毎日にするなど）旅行情報を収集してもよい。旅行情報が毎日よりも頻繁に収集される場合、観測の日付と時間は、各々の旅行情報の収集に関連付けられてもよく、「観測」と呼ぶ。この旅行情報システムは、観測結果ストアの中に旅行情報を記憶する。（例えばユーザの要求の中で）検索基準を満たす旅行情報を提供するために、この旅行情報システムは、観測結果ストアのフライト情報か、または旅行情報のソース（例えばＳａｂｒｅ、ＩＴＡソフトウェア、航空会社またはホテルなど）からリアルタイムで提供される現在のフライト情報のいずれかから検索基準を満たす旅行情報を取り出す。以下で、フライト情報の文脈の中で説明されるように、フライト情報システムは、旅行計画を促進するために様々な形式で旅行情報を提供する。以下で詳細に説明されるように、これらの形式は料金履歴グラフ、インターバルグリッド、ルートマップ、将来料金グラフおよび／または出発日付／期間グリッドを含む。
【０００６】
一実施形態で、フライト情報システムは、様々な観測日付にわたって検索基準に合った航空会社のフライトについての料金履歴を示す料金履歴グラフを提供する。例えばユーザは、出発場所および日付、ならびに戻り場所および日付を指定する検索基準を出してもよい。フライト情報システムは、検索基準を満たすフライトについて、各観測日付で入手可能であった最低料金を識別するために、観測結果ストアにアクセスする。例えば、現在の日付が１月８日であり、ユーザが４月１日に出発して４月５日に戻るシアトル／ボストン間のフライトを検索している場合、観測結果ストアは１月１日から１月７日までに収集された、それらのフライトについてのフライト情報を含んでもよい。情報が入手可能である７つの観測日付の各々についての最低料金を識別すると、フライト情報システムは、１つの軸が最低料金の範囲であり、もう１つの軸が観測日付の範囲を表すグラフを生成する。次いでフライト情報システムは、各観測日付についての最低料金を記入した線をグラフ上に付加する。フライト情報システムはまた、現在のフライト情報を取り出し、現在の観測日付についての最低料金をグラフに付加してもよい。フライト情報システムは、提示するためにグラフをユーザに送信する。フライト情報システムはまた、検索基準を満たすフライトについての現在のフライト情報のリストを、グラフとともに提示することもできる。このようにして、検索基準を満たすフライトについての料金履歴のグラフがユーザに提示されるので、ユーザは、料金が時間とともにどれくらい変動したのかという感覚を得ることができる。
【０００７】
一実施形態で、フライト情報システムは、出発日付の出発インターバルと戻り日付の戻りインターバルとの様々な組み合わせで検索基準に合った航空会社のフライトの料金を示すインターバルグリッドを提供する。チケットの価格は一般に、出発および戻りの時刻に基づいて異なるので、旅行情報システムは、時刻に基づいて旅行情報をインターバルに分割してもよい。例えば、旅行情報システムは各日を、各々４時間の６つのインターバルに分割してもよい。したがって、出発インターバルと戻りインターバルとの３６の可能な組み合わせが存在する。当業者であれば、このインターバルが一律でなくてもよいことが理解されよう。例えば、第１インターバルが真夜中から午前６時まで、第２インターバルが午前６時から午前９時まで、という具合であってもよい。フライト情報システムは、検索基準（例えばユーザによってだされたもの）を満たすフライトについての現在のフライト情報を取り出してもよい。フライト情報システムは、出発インターバルのための１つの軸と戻りインターバルのためのもう１つの軸とを含むグリッドを生成する。フライト情報システムはグリッドの各セルの中に、対応する出発インターバルの間の出発時間と、対応する戻りインターバルの間の戻り時間（すなわち戻り場所からの出発時間）との、検索基準を満たすフライトの最低料金の指標を記憶する。フライト情報システムは、提示するためにグリッドをユーザに送信する。フライト情報システムはまた、検索基準と一致するフライトについての現在のフライト情報のリストを、グラフとともに提示することもできる。ユーザがグリッドのセルを選択する場合、フライト情報システムは、対応する出発インターバルおよび戻りインターバル内にある出発および戻り時間のフライトについてだけの現在のフライト情報のリストを提示してもよい。このようにして、出発インターバルと戻りインターバルとの組み合わせによって分割された、検索基準を満たすフライトについての最低料金を示すインターバルグリッドがユーザに提示される。当業者であれば、インターバルグリッドの情報は、グリッド形式以外の形式か、またはグラフィック表示で表示されることが可能であることが理解されよう。例えば、出発インターバルは２４時間を表す円部分として表され、各出発インターバルについての最低料金が円部分の内部に示されることが可能である。ユーザが出発インターバルを選択すると、出発インターバルとすべての戻りインターバルとの組み合わせについての最低料金を示して、別の円が表示されることが可能である。
【０００８】
一実施形態で、フライト情報システムは、特定の出発場所および１つまたは複数の戻り場所の、検索基準を満たす航空会社のフライトについての最低料金を識別するルートマップを提供する。例えばユーザは、シアトルから様々な目的地へ、またはオーランド、ニューオーリンズ、フェニックスおよびロサンゼルスを含む戻り場所へ旅行するための最低料金を識別しようとしてもよい。ユーザは、最低料金を有するフライトの目的地への旅行を計画しようとしてもよい。フライト情報システムは、観測結果ストアの観測結果から得られるフライト情報に基づいて、各目的地についての最低料金を識別してもよく、または現在のフライト情報を収集してもよい。次いでフライト情報システムは、出発場所および目的地を含む地理的エリアのマップ（例えば米国のマップなど）を初期化する。次いでフライト情報システムは、出発場所から各々の目的地へのルート線をマップ上に重ね表示する。例えばフライト情報システムは、シアトルからオーランド、シアトルからニューオーリンズ、シアトルからフェニックス、およびシアトルからロサンゼルスへのルート線（例えば弧線）を重ね表示する。次いでフライト情報システムは、マップ上で各目的地の近くに、その目的地へ旅行するための最低料金の指標を重ね表示する。次いで旅行情報システムは、ルートマップをユーザに提示する。このようにして、ユーザは出発場所から目的地までのルートの地理的表示に基づいて、異なる目的地へのフライトの最低料金を迅速に比較することができる。
【０００９】
一実施形態で、フライト情報システムは、様々な出発日付にわたって検索基準を満たす、ある出発場所から１つまたは複数の目的地への旅行についての最低料金を記入した将来料金グラフを提供する。フライト情報システムは各目的地のために、出発日付の範囲にわたって出発場所から目的地への検索基準を満たすフライトについての最低料金を識別する。旅行情報システムは観測結果ストアのフライト情報から最低料金を識別してもよく、または現在のフライト情報を収集してもよい。旅行情報システムは、３０日の期間をカバーする出発日付について、旅行情報を収集してもよい。次いでフライト情報システムは、検索基準を満たすフライトについての、出発日付の範囲にわたる最低料金を示す、各目的地のための線を記入する。フライト情報システムは、異なる目的地についての料金を区別するために、異なる目的地の線を異なる色で表示してもよい。将来料金グラフの１つの軸は最低料金の範囲を表し、将来料金グラフのもう１つの軸は出発日付の範囲を表してもよい。次いでフライト情報システムは、提示するために将来料金グラフをユーザに送信する。フライト情報システムはまた、検索基準に合致するフライトについてのフライト情報のリストを、将来料金グラフとともに提示してもよい。このようにして、複数の目的地のための出発日付の範囲にわたるフライトについて、料金グラフがユーザに提示される。
【００１０】
一実施形態で、旅行情報システムは、出発日付と期間との様々な組み合わせについての最低料金を示す出発日付／期間グリッドを提供する。旅行情報システムは観測結果ストアのフライト情報から、または現在のフライト情報から最低料金を識別してもよい。旅行情報システムは、各々の出発日付と期間との組み合わせのための検索基準を満たすフライトについての最低料金を識別する。このグリッドは、出発日付と期間との各々の可能な組み合わせのためのセルを含む。例えば出発日付は、期間が３日から５日で、４月１日から４月３０日までを含んでもよい。そのような場合、このグリッドは９０（３０＊３）セルを有することになる。次いで旅行情報システムは、対応する出発日付および期間の、検索基準を満たすフライトについての最低料金の指標を、グリッドの各セルに付加する。例えば、旅行情報システムは対応する最低料金を示すために、明暗度の異なる色で各セルを埋めてもよい。例えば、明暗度の低い色は高い料金を示し、明暗度の高い色は低い料金を示してもよい。旅行情報システムはまた、色の明暗度をそれらの対応する料金レベルに写す記号説明を表示してもよい。次いで旅行情報システムは、提示するために出発日付／期間グリッドをユーザに送信する。旅行情報システムはまた、グリッドとともに対応するフライト情報のリストを提示してもよい。ユーザがグリッドのセルを選択する場合には、旅行情報は、対応する出発日付および期間のフライトについてだけ、フライト情報のリストを提示してもよい。このようにして、様々な出発日付および期間について料金レベルの地理的表示を提供するグリッドがユーザに提示される。インターバルグリッドについて上で説明されたように、出発日付／期間情報はグリッド以外の形式で表示されることが可能である。
【発明を実施するための最良の形態】
【００１１】
図１〜９は、様々な形式でのフライト情報の表示を示す図である。図１は一実施形態における、様々な形式でフライト情報を閲覧するための、検索基準の入力のための表示ページを示す図である。表示ページ１００は、従来の基準エリア１１０と柔軟な基準エリア１２０とを含む。従来の基準エリアによって、ユーザは出発場所、戻り場所、出発日付、戻り日付および旅行人数を含むフライト情報検索のための検索基準を入力することができる。柔軟な基準エリアによって、ユーザは出発日付と戻り日付だけを含むフライト情報検索のための基準を入力することができる。基準エリアのための「Ｇｏ」ボタンが選択される場合、フライト情報システムは、様々な形式で検索結果を提示する。
【００１２】
図２は一実施形態における、従来の基準検索が選択された場合の検索結果を表す表示ページを示す図である。表示ページ２００は料金履歴グラフ２１０、フライトリストエリア２２０、エリアについての結果２３０、価格範囲エリア２４０、ストップエリア２５０、航空会社エリア２６０およびインターバル（ｉｎｔｅｒｖａｌ）エリア２７０を含む。料金履歴グラフは、検索基準を満たす航空会社のフライトについての最低料金の料金履歴のプロットを示す。このグラフの縦軸は最低料金の範囲を示し、このグラフの横軸は、検索基準を満たしたフライトについてのフライト情報が収集された観測日付を示す。この例の中では、グラフは８５の観測日付についての最低料金情報を示している。フライト情報システムは、フライト情報を毎日収集し、観測結果ストアの中にフライト情報を記憶してもよい。したがって、毎日が観測日付である。一実施形態で、旅行情報システムはフライト情報を取り出すフライトを、期間が２日から８日で、今後９０日で出発するフライトに限定してもよい。当業者であれば、取り出されるフライト情報は、任意の数の出発日付と期間の長さとの組み合わせについてのものであってもよいことが理解されよう。したがって、各々の出発日付と戻り場所との組み合わせのために、旅行情報システムは６３０（例えば９０＊７）の旅行についてのフライト情報を収集することになる。６３０の可能な旅行は、以下の表に示されている。
【００１３】
【表１】
2009527827.tif 000003
【００１４】
フライトリストエリアは、検索基準を満たす個々のフライトについてのフライト情報を含む。この例では、フライト情報は料金に基づいて並べられている。エリアについての結果は、出発および戻り場所、ならびに日付および旅行者数を示す。価格範囲エリアはスライダを示すので、ユーザは最大料金を検索基準に付加することができる。ストップエリアはチェックボックスを示すので、ユーザは所望のストップ回数を検索基準に付加することができる。航空会社エリアはチェックボックスを示すので、ユーザは航空会社を検索基準に付加することができる。インターバルエリアは、出発日付または戻り日付の様々なインターバルについて最低料金を示す。
【００１５】
図３は一実施形態における、ルートマップを表す表示ページを示す図である。表示ページ３００は詳細結果エリア３１０、ルートマップ３２０およびフライトリストエリア３３０を含む。詳細結果エリアは、出発地−目的地エリア３１１、出発の期間エリア３１２、旅行の長さエリア３１３および価格範囲エリア３１４を含む。出発地−到着地エリアは現在選択されている出発場所と目的地とを示し、検索基準のためにユーザが出発場所と１つまたは複数の目的地とを選択するためのドロップダウンリストを含む。この例では、出発場所はシアトルであり、目的地はオーランド、ニューオーリンズ、フェニックスおよびロサンゼルスである。この旅行情報システムによって、ユーザは任意の数の目的地を選択することができる。出発の期間で出発エリアによって、ユーザは、検索基準のために出発日付の範囲を指定することができる。この例では、ユーザは検索基準のために３０日の範囲の第１出発日付を入力することができる。当業者であれば、このフライト情報システムは、出発日付を指定する際により大きな柔軟性を提供することができるということが理解されよう。例えば、このフライト情報システムによって、ユーザは範囲の中で日数を指定することができてもよく、またはカレンダーを表示して、連続しない日を選択することができてもよい。旅行の長さエリアは、ユーザが検索基準のために期間の範囲を指定することができるスライダを含む。この例では、２〜８日の間の期間が選択されている。価格範囲エリアは、ユーザが検索基準に最大料金を示すことができるスライダを含む。ルートマップは、検索基準の出発場所と目的地とを含む地理的エリアのマップを含む。ルートマップは、出発場所から目的地までのルート線３５１〜３５４を含む。旅行情報システムは各目的地で、目的地に関連した最低料金の指標を表示する。例えば、シアトルからオーランドまでのフライトの最低料金は２２８ドルである。この旅行情報システムはルートマップを生成するために、観測結果ストアの中のフライト情報か、または現在のフライト情報を使用してもよい。フライト情報システムが観測結果ストアのフライト情報を使用する場合、表示される料金は、最後の観測日付の最低料金を表す。フライトリストエリアは、料金によって並べられた検索基準を満たす各フライトについてのリストを含む。各リストは「Ｓｅａｒｃｈ  Ｎｏｗ（直ちに検索）」ボタンを含む。ユーザがこのボタンを選択する場合、フライト情報システムは対応するフライトについての現在のフライト情報を取り出し、それを表示する。
【００１６】
図４は一実施形態における、将来料金グラフを示す図である。表示ページ４００は詳細結果エリア４１０、将来料金グラフ４２０およびフライトリストエリア４３０を含む。詳細結果エリアは、出発地−目的地エリア４１１、出発の期間エリア４１２および旅行の長さエリア４１３を含み、これらは図３に関して説明されたものと同様の機能を与える。料金グラフは、様々な観測日付で検索基準を満たす、そのフライトの目的地に対する最低料金を記入する各目的地のための線を含む。この例では、観測日付は２月６日から３月７日までの範囲に及び、最低料金は１５９ドルから７２０ドルの範囲に及ぶ。この旅行情報システムは、観測結果ストアの中の情報から料金グラフを作成する。フライトリストエリアは、検索基準を満たす各フライトについてのリストを含む。フライトリストエリアのフライト情報は観測結果ストアのフライト情報に基づいていてもよく、または現在のフライト情報に基づいていてもよい。
【００１７】
図５は、一実施形態における出発日付／期間グリッドを示す図である。表示ページ５００は詳細結果エリア５１０、出発日付／期間グリッド５２０およびフライトリストエリア５３０を含む。詳細結果エリアおよびフライトリストエリアは、図４に関して説明された対応するエリアと同様の機能を与える。出発日付／期間グリッドは、各々の表示される出発日付と期間（すなわち旅行の長さ）との組み合わせのためのセルを有する。この例では、各セルの中の色の明暗度は、検索基準を満たすフライトについて、その出発日付と期間との組み合わせについての対応する最低料金を示す。出発日付／目的地グリッドは、色の明暗度をそれらの対応する料金に写す記号説明エリア５２１を含む。矢印５２２、５３２によって、ユーザは異なる出発日付をスクロールすることができる。ユーザがセルを選択すると、旅行情報システムはグリッドの最上部に、そのセルに関連したフライト情報を表示する。例えばユーザがセル５２３を選択すると、旅行情報システムは、その出発日付と期間との組み合わせの最低料金のフライトが２月６日の午後出発で、戻りが２月８日の午前であり、最低料金の４９４ドルであるということを示す。
【００１８】
図６は一実施形態における、選択された異なるセルを備えた出発日付／期間グリッドを示す図である。表示ページ６００は詳細結果エリア６１０、出発日付／期間グリッド６２０およびフライトリストエリア６３０を含む。詳細結果エリアおよびフライトリストエリアは、図４に関して説明された対応するエリアと同様の機能を与える。この例では、ユーザはセル６２３を選択している。旅行情報はグリッドの最上部に、最低料金のフライトが２月１１日午前出発で、戻りが２月１７日の夕方であり、料金が３２６ドルであることを示す対応するフライト情報を表示する。
【００１９】
図７は１つの実施形態における、ユーザが選択されたセルによって表されるフライトについての現在のフライト情報を検索することができる出発日付／期間グリッドを示す図である。表示ページ７００は詳細結果エリア７１０、出発日付／期間グリッド７２０およびフライトリストエリア７３０を含む。詳細結果エリアおよびフライトリストエリアは、図４に関して説明された対応するエリアと同様の機能を与える。出発日付／期間グリッドは、ユーザがセル上をダブルクリックすると表示されるポップアップ７２４を含む。このポップアップは、セルに対応するフライトについてのフライト情報を表示し、表されているフライトについての現在のフライト情報をユーザが検索できるようにする。
【００２０】
図８は一実施形態における、ユーザが検索基準の期間範囲を変更することができる出発日付／期間グリッドを示す図である。表示ページ８００は詳細結果エリア８１０、出発日付／期間グリッド８２０およびフライトリストエリア８３０を含む。詳細結果エリアおよびフライトリストエリアは、図４に関して説明された対応するエリアと同様の機能を与える。旅行の長さエリア８１３は、ユーザが４〜６日間の期間範囲を指定していることを示す。フライト情報システムは、その期間範囲のフライトについてのフライト情報を含む期間日付／グリッドを表示する。
【００２１】
図９は、一実施形態におけるインターバルグリッドを示す図である。表示ページ９００は結果エリア９１０、インターバルグリッド９２０およびフライトリストエリア９３０を含む。結果エリアは、検索基準を示す。インターバルグリッドは、出発日付についての各インターバルのための列、および戻り日付の各インターバルのための行を含む。行および列のセルの中身は、出発時間が出発インターバル内にあり、戻り時間が戻りインターバル内にある、検索基準を満たすフライトについての対応する最低料金を示す。例えばセル９２１は、午前９時から午後１２時の間に出発し、午前６時から午前９時の間に戻るフライトについての最低料金が３４７ドルであるということを示している。フライトリストエリアは典型的に、検索基準を満たす各フライトのリストを含む。ユーザがグリッドのセルを選択すると、旅行情報システムは対応するインターバルを検索基準に効果的に付加し、出発および戻り時間がセルの出発および戻りインターバル内にあるフライトについてだけのフライト情報を含むように、フライトリストエリアを更新する。例えばユーザがセル９２２を選択すると、フライトリストエリアはそれに応じて更新される。ユーザは検索基準からインターバル指定を取り除くために、「すべての時間」タブを選択してもよい。
【００２２】
旅行情報システムはまた、様々な形式でホテル関連情報を提示するために使用されることも可能である。特定のホテル市場（market）（例えば都市およびホテルの格付けなど）についてのホテルの部屋は、フライト市場（例えば出発場所と戻り場所との組み合わせなど）についての航空会社のフライト情報が集められる方法と同様のやり方で集められてもよい。例えばニューヨークの４つ星ホテルは１つの市場を表し、ニューヨークの１つ星ホテルは別の市場を表し、ラスベガスの４つ星ホテルはさらに別の市場を表す、といったことが可能である。ホテルの市場はさらに、部屋のタイプ（例えばシングルのキングサイズベッド、ダブルベッド二つ、スイートなど）ごとに分割されることも可能である。代替として、部屋のタイプは単に、市場の中のホテルの部屋を表す特徴ベクトルのうちの特徴であることが可能である。旅行情報システムは、飛行機旅行についての情報が収集される方法と同様のやり方で、各市場における様々な滞在について、ホテル情報を毎日またはその他の基準で収集することができる。滞在は、市場のための特定の到着日付と出発日付との組み合わせであってよい。例えば、１つの滞在はニューヨークの４つ星ホテルで１月１日到着、１月５日出発のものであり、別の滞在はニューヨークの４つ星ホテルで１月１日到着、１月３日出発のものであり、さらに別の滞在はラスベガスの１つ星ホテルで１月１日到着、１月５日出発のものであってもよい。この旅行情報システムは将来料金グラフ、出発日付期間グリッド、ルートマップ、および料金がホテルの部屋の価格か、または１晩当たりの平均に対応する料金履歴グラフを使用して、ホテル情報を表示してもよい。
【００２３】
図１０は、一実施形態におけるフライト情報システムのコンポーネントを示すブロック図である。フライト情報システム１０１０は通信リンク１０４０を介して、様々な旅行情報ソース１０３１、予約サービス１０３２およびカスタマデバイス１０３３に接続されてもよい。フライト情報システムは、観測結果フェッチ（ｆｅｔｃｈ  ｏｂｓｅｒｖａｔｉｏｎ）コンポーネント１０１１、収集物バッチ（ｂａｔｃｈ  ｃｏｌｌｅｃｔｉｏｎ）コンポーネント１０１２および観測結果ストア（ｏｂｓｅｒｖａｔｉｏｎ  ｓｔｏｒｅ）１０１３を含む。観測結果フェッチコンポーネントは、旅行情報ソースから現在の観測結果を収集する。収集物バッチコンポーネントは、様々なフライトについての現在のフライト情報を収集するために、周期的な基準で観測結果フェッチコンポーネントを呼び出す。上述のように、フライト情報システムは、出発日付が今後９０日以内で、期間が２〜８日間のすべてのフライトについてのフライト情報を収集してもよい。収集物バッチコンポーネントは、現在のフライト情報を、関連した観測日付とともに観測結果ストアの中に記憶する。
【００２４】
フライト情報システムはまた、ユーザインタフェース検索コンポーネント１０１４、表示ページ作成コンポーネント１０１５、料金履歴グラフ作成コンポーネント１０１６、ルートマップ作成コンポーネント１０１７、将来料金グラフ作成コンポーネント１０１８、出発日付／期間グリッド作成コンポーネント１０１９およびインターバルグリッド作成コンポーネント１０２０も含む。ユーザインタフェース検索コンポーネントは検索基準を受信して、検索基準を満たすフライトについてのフライト情報を収集し、表示ページ作成コンポーネントを呼び出して、様々な形式でフライト情報を表示するための表示ページを作成する。表示ページ作成コンポーネントは、料金履歴グラフを作成するために料金履歴グラフ作成コンポーネントを呼び出し、ルートマップを作成するためにルートマップ作成コンポーネントを呼び出し、将来料金グラフを作成するために将来料金グラフ作成コンポーネントを呼び出し、出発日付／期間グリッドを作成するために出発日付／期間グリッド作成コンポーネントを呼び出し、インターバルグリッドを作成するためにインターバルグリッド作成コンポーネントを呼び出す。
【００２５】
フライト情報システムが実装され得るコンピューティングデバイスは、中央処理装置、メモリ、入力デバイス（例えばキーボードおよびポインティングデバイスなど）、出力デバイス（例えば表示デバイスなど）およびストレージデバイス（例えばディスクドライブなど）を含み得る。メモリおよびストレージデバイスは、フライト情報システムを実施する命令を含んでもよいコンピュータ可読媒体である。さらに、データ構造は記憶されるか、または通信リンク上の信号など、データ伝送媒体を介して伝送されてもよい。フライト情報システムをフライト情報ソースおよびユーザコンピューティングデバイスに接続するために、例えばインターネット、ローカルエリアネットワーク、ワイドエリアネットワーク、ポイント対ポイントのダイアルアップ接続、携帯電話ネットワークその他などの様々な通信リンクが使用されてもよい。
【００２６】
フライト情報システムの実施形態は、パーソナルコンピュータ、サーバコンピュータ、マルチプロセッサシステム、マイクロプロセッサベースのシステム、ミニコンピュータ、メインフレームコンピュータ、上述のシステムまたはデバイスのうちの任意のものを含む分散型コンピューティング環境その他を含む、様々なオペレーティング環境で実装されてもよい。ユーザデバイスは携帯電話、携帯情報端末、スマートフォン、パーソナルコンピュータ、プログラム可能な一般電子機器、デジタルカメラその他を含んでもよい。
【００２７】
フライト情報システムは、１つまたは複数のコンピュータまたはその他のデバイスによって実行されるプログラムモジュールなど、一般的なコンピュータ実行可能命令の文脈の中で説明されてもよい。一般にプログラムモジュールは、特定のタスクを実行するか、または特定の抽象データ型を実施するルーティン、プログラム、オブジェクト、コンポーネント、データ構造その他を含む。典型的に、プログラムモジュールの機能は、様々な実施形態の中で必要に応じて結合されるか、または分散されてもよい。例えば、収集物のバッチ機能およびユーザインタフェースの提供は、異なるコンピュータシステムで実行されてもよい。
【００２８】
図１１は、一実施形態における観測結果ストアのデータ構造を示すブロック図である。観測結果ストア１１００は、直近の観測日付に開始する各観測日付のための項目を含む観測日付データテーブル１１０１を含む。各項目は、出発／戻り場所テーブル１１１１〜１１１２への参照を含む。各出発／戻り場所テーブルは、出発／戻り日付テーブル１１２１〜１１２２への参照を含む、各々の出発場所と戻り場所との組み合わせのための項目を含む。各出発／戻りの日付テーブルは、関連した出発／戻り場所の各々の可能な旅行のための項目を含む。旅行は、出発場所と戻り場所との組み合わせのための、出発日付と戻り日付との固有の組み合わせを表す。各項目は、旅行の出発／戻りの日付を識別し、フライトテーブル１１３１〜１１３２への参照を含む。各フライトテーブルは、関連した出発および戻り場所および日付によって識別される旅行についての各フライトのための項目を含む。フライトテーブルの各項目は、観測結果フェッチコンポーネントによってフライト情報ソースから収集された生のフライト情報を含んでもよい。
【００２９】
図１２は、一実施形態におけるフライト情報システムの最低料金データ構造を示すブロック図である。最低料金データ構造１２００は、基準を満たすフライトについてのフライト情報を表し、様々な形式のフライト情報を生成するために、フライト情報システムによって使用される。最低料金データ構造は、戻り場所テーブル１２０１を含む。戻り場所テーブルは、出発日付テーブル１２０２への参照を含む、各基準の戻り場所のための項目を含む。各出発日付テーブルは、データおよび戻り日付テーブル１２０３への参照を含む、各基準の可能な出発日付のための項目を含む。各戻り日付テーブルは、最低料金に関連した指標、および最低料金を有するフライトに関連したフライト情報とともに、各基準の可能な戻り日付のための項目を含む。
【００３０】
図１３は一実施形態における、フライト情報システムのルートマップ作成コンポーネントの処理を示す流れ図である。このコンポーネントは、伝達される情報に基づいてルートマップを生成する。伝達される情報は出発場所、戻り場所、出発日付範囲および期間範囲を含む。ブロック１３０１で、このコンポーネントはルートマップを作成するために必要とされるフライト情報を収集するために、最低料金データ構造生成コンポーネントを呼び出す。ブロック１３０２で、このコンポーネントはルートマップを初期化する。ブロック１３０３〜１３０７で、このコンポーネントはマップにルート線を付加することを繰り返す。ブロック１３０３で、このコンポーネントは次の戻り場所を選択する。判定ブロック１３０４で、すべての戻り場所がすでに選択されている場合、このコンポーネントはマップをリターンし、すべての戻り場所が選択されていない場合、このコンポーネントはブロック１３０５で継続する。ブロック１３０５で、このコンポーネントは、選択された戻り場所についての最低料金を最低料金データ構造から取り出す。ブロック１３０６で、このコンポーネントは、目的地の場所から選択された戻り場所までのルート線をマップに付加する。ブロック１３０７で、このコンポーネントはマップに、取り出された最低料金の指標を選択された戻り場所の近くに付加する。次いで、このコンポーネントは次の戻り場所を選択するために、ブロック１３０３へ戻る。
【００３１】
図１４は一実施形態における、フライト情報システムの最低料金データ構造生成コンポーネントの処理を示す流れ図である。このコンポーネントは出発場所、戻り場所、出発日付範囲および期間範囲を伝達され、伝達された情報の基準を満たすフライトについてのフライト情報を収集する。ブロック１４０１で、このコンポーネントは次の戻り場所を選択する。判定ブロック１４０２で、すべての戻り場所がすでに選択されている場合、このコンポーネントは最低料金データ構造をリターンし、すべての戻り場所が選択されていない場合、このコンポーネントはブロック１４０３で継続する。ブロック１４０３で、このコンポーネントは次の出発日付を選択する。判定ブロック１４０４で、すべての出発日付がすでに選択されている場合、このコンポーネントは次の戻り場所を選択するためにブロック１４０１に戻り、すべての出発日付が選択されていない場合、このコンポーネントはブロック１４０５で継続する。ブロック１４０５で、このコンポーネントは選択された戻り場所のために、次の戻りの日付を選択する。判定ブロック１４０６で、すべての前述のような戻りの日付がすでに選択されている場合、このコンポーネントは次の出発日付を選択するためにブロック１４０３に戻り、すべての前述のような戻りの日付が選択されていない場合、このコンポーネントはブロック１４０７で継続する。ブロック１４０７で、このコンポーネントは出発場所、選択された戻り場所、選択された出発日付および選択された戻り日付の組み合わせのフライトについての最低料金を取り出す。ブロック１４０８で、このコンポーネントは最低料金データ構造に項目を付加し、次いで次の戻り日付を選択するためにブロック１４０５に戻る。
【００３２】
図１５は一実施形態における、フライト情報システムの将来料金グラフ生成コンポーネントの処理を示す流れ図である。このコンポーネントは出発場所、戻り場所、出発範囲および期間範囲を伝達される。このコンポーネントは、伝達された情報の基準を満たすフライトに基づいて、将来料金グラフを作成する。ブロック１５０１で、このコンポーネントは、基準を満たすフライト情報を取り出すために、最低料金データ構造生成コンポーネントを呼び出す。ブロック１５０２で、このコンポーネントはデータ構造から最低料金および最高料金を識別する。ブロック１５０３で、このコンポーネントは、縦の料金軸および横の出発日付軸をグラフに付加する。ブロック１５０４〜１５０９で、このコンポーネントは各戻り場所についてのプロット線をグラフに付加することを繰り返す。ブロック１５０４で、このコンポーネントは次の戻り場所を選択する。判定ブロック１５０５で、すべての戻り場所がすでに選択されている場合、このコンポーネントはグラフをリターンし、すべての戻り場所が選択されていない場合、このコンポーネントはブロック１５０６で継続する。ブロック１５０６で、このコンポーネントは次の出発日付を選択する。ブロック１５０７で、選択された戻り場所のために、すべての出発日付がすでに選択されている場合、このコンポーネントは次の戻り場所を選択するためにブロック１５０４に戻り、すべての出発日付が選択されていない場合、このコンポーネントはブロック１５０８で継続する。ブロック１５０８で、このコンポーネントは出発場所、選択された戻り場所および選択された出発日付の組み合わせのためにデータ構造の中で表されたフライトについての最低料金を取り出す。ブロック１５０９で、このコンポーネントは選択された戻り場所について、および選択された出発日付についてプロット線に点を付加し、次の出発日付を選択するためにブロック１５０６に戻る。
【００３３】
図１６は１つの実施形態における、フライト情報システムの出発日付／期間グリッド作成コンポーネントの処理を示す流れ図である。このコンポーネントは出発場所、戻り場所、出発範囲および期間範囲を伝達される。このコンポーネントは、伝達された情報の基準に合致するフライト情報に基づいて、出発日付／期間グリッドを生成する。ブロック１６０１で、このコンポーネントは、基準を満たすフライト情報を取り出すために、最低料金データ構造生成コンポーネントを呼び出す。ブロック１６０２で、このコンポーネントはデータ構造によって表された最低料金および最高料金を識別する。ブロック１６０３で、このコンポーネントは、料金レベルに対応した明暗度レベルを示す料金の記号説明をグリッドに付加する。ブロック１６０４で、このコンポーネントは縦の期間軸および横の出発日付軸をグリッドに付加する。ブロック１６０５〜１６１０で、このコンポーネントはグリッドのセルの色付けを繰り返す。ブロック１６０５で、このコンポーネントは次の出発日付を選択する。判定ブロック１６０６で、すべての出発日付がすでに選択されている場合、このコンポーネントはグリッドをリターンし、すべての出発日付が選択されていない場合、このコンポーネントはブロック１６０７で継続する。ブロック１６０７で、このコンポーネントは選択された出発日付のために次の期間を選択する。判定ブロック１６０８で、期間のうちのすべてがすでに選択されている場合、このコンポーネントは次の出発日付を選択するためにブロック１６０５に戻り、期間のうちのすべてが選択されていない場合、このコンポーネントはブロック１６０９で継続する。ブロック１６０９で、このコンポーネントは選択された出発日付および選択された期間のために、最低料金データ構造から最低料金を取り出す。ブロック１６１０で、このコンポーネントはグリッドの記号説明によって示される色にしたがって、選択された出発日付および選択された期間に対応するセルの色を設定し、次いで次の期間を選択するためにブロック１６０７に戻る。
【００３４】
図１７は一実施形態における、フライト情報システムの料金履歴グラフ作成コンポーネントの処理を示す流れ図である。このコンポーネントは出発場所、戻り場所、出発日付および戻りの日付を伝達される。このコンポーネントは、伝達された情報の基準を満たすフライトについての様々な観測日付に対応する料金履歴グラフを作成する。ブロック１７０１で、このコンポーネントは、基準を満たすフライトについての現在のフライト情報を取り出す。ブロック１７０２〜１７０４で、このコンポーネントは、基準を満たすフライトについてのフライト情報を取り出すことを繰り返す。ブロック１７０２で、このコンポーネントは観測結果ストアから、基準を満たすフライトを含む次の観測結果を選択する。ブロック１７０３で、すべての前述のような観測結果がすでに選択されている場合、このコンポーネントはブロック１７０４で継続し、すべての前述のような観測結果が選択されていない場合、このコンポーネントはブロック１７０５で継続する。ブロック１７０４で、このコンポーネントは基準を満たす選択された観測結果についてのフライト情報を取り出し、次いで次の観測結果を選択するためにブロック１７０２に戻る。ブロック１７０５で、このコンポーネントは取り出された情報の最低料金および最高料金を識別する。ブロック１７０６で、このコンポーネントは観測結果の出発日付範囲を識別する。ブロック１７０７で、このコンポーネントは横の料金軸および縦の観測日付軸をグラフに付加する。ブロック１７０８で、このコンポーネントは、現在の日付を含む各観測日付についての最低料金を示すプロット線をグラフに付加する。次いで、このコンポーネントはグラフをリターンする。
【００３５】
図１８は一実施形態における、フライト情報システムのインターバルグリッド作成コンポーネントの処理を示す流れ図である。このコンポーネントは出発場所、戻り場所、出発日付および戻りの日付を伝達される。このコンポーネントは、伝達された情報の基準を満たすフライト情報に基づいて、インターバルグリッドを生成する。ブロック１８０１で、このコンポーネントは基準を満たす現在のフライト情報を取り出す。ブロック１８０２で、このコンポーネントは戻りの日付のインターバルのための縦軸および出発日付のインターバルのための横軸をグリッドに付加する。ブロック１８０３〜１８１０で、このコンポーネントはグリッドのセルを配置することを繰り返す。ブロック１８０３で、このコンポーネントは次の出発インターバルを選択する。判定ブロック１８０４で、すべての出発インターバルがすでに選択されている場合、このコンポーネントはグリッドをリターン、すべての出発インターバルが選択されていない場合、このコンポーネントはブロック１８０５で継続する。ブロック１８０５で、このコンポーネントは次の戻りインターバルを選択する。判定ブロック１８０６で、すべての戻りインターバルがすでに選択されている場合、このコンポーネントは次の出発インターバルを選択するためにブロック１８０３に戻り、すべての戻りインターバルが選択されていない場合、このコンポーネントはブロック１８０７で継続する。ブロック１８０７で、このコンポーネントは、選択された出発インターバルおよび選択された戻りインターバルについての最低料金を取り出す。判定ブロック１８０８で、選択された出発インターバルおよび選択された戻りインターバルに対応する少なくとも１つのフライトが存在する場合、このコンポーネントはブロック１８０９で継続し、そのようなフライトが存在しない場合、このコンポーネントはブロック１８１０で継続する。ブロック１８０９で、このコンポーネントは選択された出発インターバルおよび選択された戻りインターバルに対応するセルに料金を付加し、次いで次の戻りインターバルを選択するためにブロック１８０５に戻る。ブロック１８１０で、このコンポーネントは、選択された出発インターバルおよび選択された戻りインターバルのためのセルに、そのインターバルの組み合わせに対応するフライトがないということを示すために指標を付加し、次の戻りインターバルを選択するためにブロック１８０５に戻る。
【００３６】
以上から、本明細書では本発明の特定の実施形態が説明されてきたが、本発明の精神および範囲から逸脱することなく、様々な変更が行われてもよいということが理解されよう。例えば、検索基準は航空会社、出発場所、戻り場所、旅行の日時、期間、着陸場所の数、サービスのクラス、料金レベルなどの航空会社のフライトの様々な属性を指定してもよい。また、この旅行情報システムは最低料金以外の料金情報を提供してもよい。例えば、料金情報は平均料金、中間料金、最低および最高料金その他であってもよい。また旅行は、片道旅行、往復旅行または多方面への旅行とみなされてもよい。したがって、本発明は添付の特許請求の範囲によって限定される場合を除き、限定されることはない。
【図面の簡単な説明】
【００３７】
【図１】一実施形態における、様々な形式でフライト情報を閲覧するための検索基準の入力のための表示ページを示す図である。
【図２】一実施形態における、従来の基準検索が選択された場合の検索結果を表す表示ページを示す図である。
【図３】一実施形態における、ルートマップを表す表示ページを示す図である。
【図４】一実施形態における将来の料金グラフを示す図である。
【図５】一実施形態における出発日付／期間グリッドを示す図である。
【図６】一実施形態における、選択された異なるセルを備えた出発日付／期間グリッドを示す図である。
【図７】一実施形態における、ユーザが選択されたセルによって示されるフライトについての現在のフライト情報を検索することができる、出発日付／期間グリッドを示す図である。
【図８】一実施形態における、ユーザが検索基準の期間の範囲を変更することができる出発日付／期間グリッドを示す図である。
【図９】一実施形態におけるインターバルグリッドを示す図である。
【図１０】一実施形態における、フライト情報システムのコンポーネントを示すブロック図である。
【図１１】一実施形態における、観測結果ストアのデータ構造を示すブロック図である。
【図１２】一実施形態における、フライト情報システムの最低料金データ構造を示すブロック図である。
【図１３】一実施形態における、フライト情報システムのルートマップ作成コンポーネントの処理を示す流れ図である。
【図１４】一実施形態における、フライト情報システムの最低料金データ構造生成コンポーネントの処理を示す流れ図である。
【図１５】一実施形態における、フライト情報システムの将来料金グラフコンポーネント生成の処理を示す流れ図である。
【図１６】一実施形態における、フライト情報システムの出発日付／期間グリッドコンポーネント作成の処理を示す流れ図である。
【図１７】一実施形態における、フライト情報システムの料金履歴グラフコンポーネント作成の処理を示す流れ図である。
【図１８】一実施形態における、フライト情報システムのインターバルグリッドコンポーネント作成の処理を示す流れ図である。
【図１】
2009527827.tif 000004
【図２】
2009527827.tif 000005
【図３】
2009527827.tif 000006
【図４】
2009527827.tif 000007
【図５】
2009527827.tif 000008
【図６】
2009527827.tif 000009
【図７】
2009527827.tif 000010
【図８】
2009527827.tif 000011
【図９】
2009527827.tif 000012
【図１０】
2009527827.tif 000013
【図１１】
2009527827.tif 000014
【図１２】
2009527827.tif 000015
【図１３】
2009527827.tif 000016
【図１４】
2009527827.tif 000017
【図１５】
2009527827.tif 000018
【図１６】
2009527827.tif 000019
【図１７】
2009527827.tif 000020
【図１８】
2009527827.tif 000021
【国際調査報告】
2009527827.tif 000022